(57)【要約】  【課題】  本発明は、大量の温度検出器を不要として設備コストの上昇を抑制する一方でガスタービンの異常を早期に発見することで発電効率の低下や装置の損傷を防止したガスタービンの監視装置を提供することを目的とする。  【解決手段】  入力部１０１に入力されたガスタービンのプラントデータ２００が周波数解析部１０２に与えられると、燃焼器の燃焼振動に対する測定データが周波数解析される。そして、この周波数解析部１０２で得られた複数の周波数解析結果に基づいて、正常規範設定部１０３が、燃焼器の燃焼状態が安定している正常規範を設定する。【選択図】      図２
2006105053.tif 000002
【特許請求の範囲】
【請求項１】
高圧の空気と燃料ガスを燃焼する燃焼器と該燃焼器で発生した燃焼ガスにより回転するタービンとを備えるガスタービンの運転状態を監視するガスタービン監視装置において、
前記ガスタービンに設置されたセンサで測定された測定データを含むプラントデータが入力される入力部と、
該入力部から入力された前記プラントデータに基づいて、前記燃焼器の燃焼振動の周波数解析を行う周波数解析部と、
該周波数解析部における複数の周波数解析結果に基づいて、前記ガスタービンの運転状態が正常であるとする前記燃焼器の燃焼振動の振動レベルの範囲となる正常規範を求める正常規範設定部と、
前記周波数解析部における現在の運転状態に対する周波数解析結果と、前記正常規範設定部で生成された正常規範と、を出力する出力部と、
を備えることを特徴とするガスタービン監視装置。
【請求項２】
前記周波数解析部において得られた前記周波数解析結果に含まれる定常ノイズ成分を除去するノイズ除去部を備えるとともに、前記ノイズ除去部で定常ノイズ成分が除去された前記周波数解析結果が前記正常規範設定部に送出されることを特徴とする請求項１に記載のガスタービン監視装置。
【請求項３】
前記周波数解析部又は前記ノイズ除去部から送出される現在の運転状態に対する周波数解析結果と、前記正常規範設定部で生成された正常規範とを比較するとともに、その比較結果に基づいて前記ガスタービンの運転状態が正常であるか否かを判定する健全性評価部を、更に備えることを特徴とする請求項１又は請求項２に記載のガスタービン監視装置。
【請求項４】
前記周波数解析部による前記周波数解析結果を複数の周波数帯に分割するとともに、
前記健全性評価部において、複数の周波数帯毎に分割された前記周波数解析結果に基づいて、前記ガスタービンの運転状態が正常であるか否かを判定することを特徴とする請求項３に記載のガスタービン監視装置。
【請求項５】
前記周波数解析部による前記周波数解析結果を複数の周波数帯に分割するとともに、
前記正常規範設定部において、複数の周波数帯毎に、前記燃焼器の燃焼振動を表すデータ以外の前記プラントデータに対して前記ガスタービンの運転状態が正常であるとする前記燃焼器の燃焼振動の振動レベルの範囲となる正常規範が生成されることを特徴とする請求項１〜請求項４のいずれかに記載のガスタービン監視装置。
【請求項６】
高圧の空気と燃料ガスを燃焼する燃焼器と該燃焼器で発生した燃焼ガスにより回転するタービンとを備えるガスタービンの運転状態を監視するガスタービン監視システムにおいて、
前記ガスタービンに設置されたセンサで測定された測定データを含むプラントデータが入力される入力部と、該入力部に入力されたプラントデータを送信する通信部と、を備えたプラントデータ送信装置と、
前記プラントデータ送信装置から送信された前記プラントデータを受信する通信部と、該通信部で受信された前記プラントデータに基づいて、前記燃焼器の燃焼振動の周波数解析を行う周波数解析部と、該周波数解析部における複数の周波数解析結果に基づいて、前記ガスタービンの運転状態が正常であるとする前記燃焼器の燃焼振動の振動レベルの範囲となる正常規範を求める正常規範設定部と、前記周波数解析部における現在の運転状態に対する周波数解析結果と、前記正常規範設定部で生成された正常規範と、を出力する出力部と、を備えるガスタービン監視装置と、
により構成されるとともに、
１つ又は複数の前記プラントデータ送信装置に対して１つの前記ガスタービン監視装置を備えることを特徴とするガスタービン監視システム。
【請求項７】
前記ガスタービン監視装置が、前記周波数解析部において得られた前記周波数解析結果に含まれる定常ノイズ成分を除去するノイズ除去部を備えるとともに、前記ノイズ除去部で定常ノイズ成分が除去された前記周波数解析結果が前記正常規範設定部に送出されることを特徴とする請求項６に記載のガスタービン監視システム。
【請求項８】
前記ガスタービン監視装置が、前記周波数解析部又は前記ノイズ除去部から送出される現在の運転状態に対する周波数解析結果と、前記正常規範設定部で生成された正常規範とを比較するとともに、その比較結果に基づいて前記ガスタービンの運転状態が正常であるか否かを判定する健全性評価部を、更に備えることを特徴とする請求項６又は請求項７に記載のガスタービン監視システム。
【請求項９】
前記ガスタービン監視装置が、前記周波数解析部による前記周波数解析結果を複数の周波数帯に分割するとともに、前記健全性評価部において、複数の周波数帯毎に分割された前記周波数解析結果に基づいて、前記ガスタービンの運転状態が正常であるか否かを判定することを特徴とする請求項８に記載のガスタービン監視システム。
【請求項１０】
前記ガスタービン監視装置が、前記周波数解析部による前記周波数解析結果を複数の周波数帯に分割するとともに、前記正常規範設定部において、複数の周波数帯毎に、前記燃焼器の燃焼振動を表すデータ以外の前記プラントデータに対して前記ガスタービンの運転状態が正常であるとする前記燃焼器の燃焼振動の振動レベルの範囲となる正常規範が生成されることを特徴とする請求項６〜請求項９のいずれかに記載のガスタービン監視システム。
【発明の詳細な説明】
【技術分野】
【０００１】
本発明は、ガスタービンの運転状態に基づいてその燃焼状態を監視して必要に応じて異常を検出するガスタービン監視装置及びガスタービン監視システムに関する。
【背景技術】
【０００２】
一般的なガスタービン発電プラントにて、ガスタービンは圧縮機と燃焼器とタービンと発電機とを有しており、圧縮機で高圧となった空気と、燃料ガスとが燃焼器に送られて燃焼し、その排気ガスによりタービンを駆動して発電機を運転する。このようなガスタービン発電プラントでは、燃焼器での燃焼温度が１５００℃まで上昇し、内部で圧力変動が発生するため、局部応力が発生して亀裂が生じてしまうことがある。燃焼器に亀裂や破損が発生すると、燃焼器へ導入される空気量が計画からずれて燃焼異常が発生し、発電効率が低下してしまうという問題がある。
【０００３】
従来は、タービンの最終翼付近や排気室に温度検出器を複数設け、この各温度検出器の計測結果に基づいて燃焼器の燃焼異常を検知していた。しかし、プラント負荷や気象条件など種々のプラント運転条件により正常な温度範囲が異なることから、正常と異常とを判別する閾値の設定が困難であり、誤判定が生じる虞がある。この場合、燃焼器の異常燃焼を正常と誤判定すると、燃焼器に亀裂等が生じたまま運転を継続することとなり、発電効率を低下させてしまうばかりでなく、場合によっては翼をも損傷させてしまうこととなる。
【０００４】
そこで、「ガスタービン燃焼監視装置」として、排気室に温度検出器を設け、この温度検出器により得られる排気ガス流に直交する平面内の温度分布から断面排気温度分布のパターンの特徴を求め、異常原因判定を行うものが提案されている（特許文献１参照）。又、別の「ガスタービン燃焼器監視装置」として、燃焼器の表面温度分布を検出する温度検出器を設け、この温度検出器により得られた表面温度分布に基づいて燃焼器の異常原因判定を行う技術が提案されている（特許文献２参照）。
【特許文献１】特開平０７−３１８０５６号公報
【特許文献２】特開平１０−２０５７５４号公報
【発明の開示】
【発明が解決しようとする課題】
【０００５】
ところが、特許文献１に開示された「ガスタービン燃焼監視装置」及び特許文献２に開示された「ガスタービン燃焼器監視装置」では、排気室に設けられた温度検出器により得られる温度分布から断面排気温度分布のパターンの特徴を求めている。そのため、一つの燃焼器に多数の温度検出器が必要となり、複数の燃焼器を有するガスタービンでは、大量の温度検出器が必要となる。又、実際に、一つの燃焼器に多数の温度検出器を装着することは排気ガスの流動抵抗の面からも困難であり、現実的ではない。
【０００６】
このような問題を鑑みて、本発明は、大量の温度検出器を不要として設備コストの上昇を抑制する一方でガスタービンの異常を早期に発見することで発電効率の低下や装置の損傷を防止したガスタービンの監視装置を提供することを目的とする。
【課題を解決するための手段】
【０００７】
上記目的を達成するために、本発明のガスタービン監視装置は、高圧の空気と燃料ガスを燃焼する燃焼器と該燃焼器で発生した燃焼ガスにより回転するタービンとを備えるガスタービンの運転状態を監視するガスタービン監視装置において、前記ガスタービンに設置されたセンサで測定された測定データを含むプラントデータが入力される入力部と、該入力部から入力された前記プラントデータに基づいて、前記燃焼器の燃焼振動の周波数解析を行う周波数解析部と、該周波数解析部における複数の周波数解析結果に基づいて、前記ガスタービンの運転状態が正常であるとする前記燃焼器の燃焼振動の振動レベルの範囲となる正常規範を求める正常規範設定部と、前記周波数解析部における現在の運転状態に対する周波数解析結果と、前記正常規範設定部で生成された正常規範と、を出力する出力部と、を備えることを特徴とする。
【０００８】
このようなガスタービン監視装置において、前記周波数解析部において得られた前記周波数解析結果に含まれる定常ノイズ成分を除去するノイズ除去部を備えるとともに、前記ノイズ除去部で定常ノイズ成分が除去された前記周波数解析結果が前記正常規範設定部に送出されるものとしても構わない。このとき、ノイズ除去部において、タービン翼の枚数Ｚと回転数Ｎとによって定まる固有振動数であるＮＺ成分や、電源周波数などによるノイズ成分が除去される。
【０００９】
又、前記周波数解析部又は前記ノイズ除去部から送出される現在の運転状態に対する周波数解析結果と、前記正常規範設定部で生成された正常規範とを比較するとともに、その比較結果に基づいて前記ガスタービンの運転状態が正常であるか否かを判定する健全性評価部を、更に備えるものとしても構わない。このとき、前記周波数解析部による前記周波数解析結果を複数の周波数帯に分割するとともに、前記健全性評価部において、複数の周波数帯毎に分割された前記周波数解析結果に基づいて、前記ガスタービンの運転状態が正常であるか否かを判定するものとしても構わない。
【００１０】
更に、前記周波数解析部による前記周波数解析結果を複数の周波数帯に分割するとともに、前記正常規範設定部において、複数の周波数帯毎に、前記燃焼器の燃焼振動を表すデータ以外の前記プラントデータに対して前記ガスタービンの運転状態が正常であるとする前記燃焼器の燃焼振動の振動レベルの範囲となる正常規範が生成されるものとしても構わない。
【００１１】
本発明のガスタービン監視システムは、高圧の空気と燃料ガスを燃焼する燃焼器と該燃焼器で発生した燃焼ガスにより回転するタービンとを備えるガスタービンの運転状態を監視するガスタービン監視システムにおいて、前記ガスタービンに設置されたセンサで測定された測定データを含むプラントデータが入力される入力部と、該入力部に入力されたプラントデータを送信する通信部と、を備えたプラントデータ送信装置と、前記プラントデータ送信装置から送信された前記プラントデータを受信する通信部と、該通信部で受信された前記プラントデータに基づいて、前記燃焼器の燃焼振動の周波数解析を行う周波数解析部と、該周波数解析部における複数の周波数解析結果に基づいて、前記ガスタービンの運転状態が正常であるとする前記燃焼器の燃焼振動の振動レベルの範囲となる正常規範を求める正常規範設定部と、前記周波数解析部における現在の運転状態に対する周波数解析結果と、前記正常規範設定部で生成された正常規範と、を出力する出力部と、を備えるガスタービン監視装置と、により構成されるとともに、１つ又は複数の前記プラントデータ送信装置に対して１つの前記ガスタービン監視装置を備えることを特徴とする。
【００１２】
このようなガスタービン監視システムにおいて、前記ガスタービン監視装置が、前記周波数解析部において得られた前記周波数解析結果に含まれる定常ノイズ成分を除去するノイズ除去部を備えるとともに、前記ノイズ除去部で定常ノイズ成分が除去された前記周波数解析結果が前記正常規範設定部に送出されるものとしても構わない。
【００１３】
又、前記ガスタービン監視装置が、前記周波数解析部又は前記ノイズ除去部から送出される現在の運転状態に対する周波数解析結果と、前記正常規範設定部で生成された正常規範とを比較するとともに、その比較結果に基づいて前記ガスタービンの運転状態が正常であるか否かを判定する健全性評価部を、更に備えるものとしても構わない。このとき、前記ガスタービン監視装置が、前記周波数解析部による前記周波数解析結果を複数の周波数帯に分割するとともに、前記健全性評価部において、複数の周波数帯毎に分割された前記周波数解析結果に基づいて、前記ガスタービンの運転状態が正常であるか否かを判定するものとしても構わない。
【００１４】
更に、前記ガスタービン監視装置が、前記周波数解析部による前記周波数解析結果を複数の周波数帯に分割するとともに、前記正常規範設定部において、複数の周波数帯毎に、前記燃焼器の燃焼振動を表すデータ以外の前記プラントデータに対して前記ガスタービンの運転状態が正常であるとする前記燃焼器の燃焼振動の振動レベルの範囲となる正常規範が生成されるものとしても構わない。
【発明の効果】
【００１５】
本発明によると、燃焼器の燃焼振動に対する周波数解析結果に基づいて、ガスタービンの運転状態を判定するための正常規範を設定するので、この正常規範と現在の燃焼器における燃焼振動の振動状態とを比較することで、燃焼安定性に関する異常を確認することができる。又、この燃焼安定性に関する異常を確認することで、ガスタービンの運転状態が正常であるか否かを判定することができる。更に、正常規範との比較動作を行う健全性評価部を備えることで、自動的にガスタービンの運転状態を監視することができる。又、ノイズ除去部によって、周波数解析結果に含まれる定常ノイズを除去することで、燃焼不安定性のみによってガスタービンの運転状態を判定することができるので、その運転状態の判定をより正確なものとすることができる。
【発明を実施するための最良の形態】
【００１６】
（ガスタービン）
まず、本発明の各実施形態のガスタービンプラントにおいて共通の構成となるガスタービンについて、図面を参照して説明する。図１は、ガスタービンの構成を示すブロック図である。
【００１７】
図１に示すガスタービン本体部１１が、外部からの吸引した空気を圧縮して高圧の空気を排出する圧縮機１２と、圧縮機１２からの圧縮空気と燃料ガスとが供給されて燃焼動作をする燃焼器１３と、圧縮機１２と一軸で接続されるとともに燃焼器１３からの燃焼ガスにより回転駆動するタービン１４と、タービン１４と同軸で接続されることでタービン１４の回転により発電動作を行う発電機１５と、を備える。
【００１８】
そして、圧縮機１２は、その入口部分が吸気通路１６と接続されるとともに、その第１段静翼として設けられるとともに開度調節が可能な入口案内翼（ＩＧＶ）１７を備える。このとき、ＩＧＶ１７に開度センサ１８が設けられることで、ＩＧＶ１７の開度が検出され、更に、吸気通路１６に温度センサ１９、圧力センサ２０、及び流量センサ２１が設けられることで、吸気通路１６より吸気される外部空気の温度、圧力、及び流量が検出される。
【００１９】
又、圧縮機１２と燃焼器１３とが圧縮空気供給通路２２によって連結されて、圧縮機１２で圧縮された高圧の空気が圧縮空気供給通路２２を介して燃焼器１３に供給される。そして、この圧縮空気供給通路２２に温度センサ２３と圧力センサ２４とが設けられることで、圧縮機１２で圧縮された空気の温度及び圧力が検出される。又、燃焼器１３には、圧力センサ２５及び加速度センサ２６が設置され、燃焼器１３内部の圧力と燃焼器１３の加速度が検出される。更に、燃焼器１３とタービン１４とが燃焼ガス通路２７によって連結されて、燃焼器１３で発生した燃焼ガスが燃焼ガス通路２７を介してタービン１４に供給される。又、圧縮空気供給通路２２から分岐されるとともに燃焼ガス通路２７に結合されることで燃焼器１３を迂回するバイパス通路２８と、バイパス通路２８を流れる空気流量を設定する燃焼器バイパス弁２９と、を備える。そして、燃焼器バイパス弁２９に開度センサ３０が設けられることで、燃焼器バイパス弁２９の開度が検出される。
【００２０】
又、燃焼器１３に供給される燃料ガスは、不図示の燃料タンクに蓄積されており、この燃料タンクに燃料通路３１が接続されるとともに、更に、この燃料通路３１は、燃焼器１３における不図示のメインノズルに燃料ガスを供給するためのメイン燃料通路３２と、燃焼器１３における不図示のパイロットノズルに燃料ガスを供給するためのパイロット燃料通路３３とに分岐される。そして、メイン燃料通路３２に、メインノズルに供給する燃料流量を設定する流量制御弁３４が設置されるとともに、パイロット燃料通路３３に、パイロットノズルに供給する燃料流量を設定する流量制御弁３５が設置される。このとき、燃料通路３１に温度センサ３６が設けられて、供給される燃料ガスの温度が検出される。そして、メイン燃料通路３２及びパイロット燃料通路３３それぞれに圧力センサ３７，３８及び流量センサ３９，４０が設置され、メインノズル及びパイロットノズルそれぞれに供給される燃料ガスの圧力及び流量が検出される。
【００２１】
更に、タービン１４の出口部分には排気ガス通路４１が接続されて、タービン１４の回転駆動に使用された燃焼ガスの排ガスが排気ガス通路４１より外部に排気される。このとき、排気ガス通路４１に温度センサ４２、ＮＯｘセンサ４３、及びＣＯセンサ４４が設けられることで、排気ガス通路４１より排気される排気ガスの温度、ＮＯｘ濃度、及びＣＯ濃度が検出される。
【００２２】
尚、このようにガスタービン１１が構成されるとき、ガスタービン１１の本体部の周囲にｍ基の燃焼器１３が設けられる。そして、燃焼器１３の内部の圧力及び加速度を検出する圧力センサ２５及び加速度センサ２６についても、ｍ基の燃焼器１３それぞれに対して設置される。
【００２３】
又、このガスタービン１１では、まず、不図示の燃料タンクより燃料ガスが燃焼器１３のメインノズルとパイロットノズルに供給されるとき、流量制御弁３４，３５によって燃焼器１３のメインノズル及びパイロットノズルそれぞれに供給する燃料流量が制御される。又、ＩＧＶ１７の開度が操作されると、圧縮機１２に吸引される外部空気の量が設定される。そして、ＩＧＶ１７から吸引される外部空気が圧縮機１２で圧縮されて、高圧の圧縮空気が燃焼器１３に供給される。このとき、圧縮空気供給通路２２に与えられた圧縮空気の一部がバイパス通路２８を流れる。このバイパス通路２８を通過する空気の流量が燃焼器バイパス弁２９の開度が操作されて設定されることによって、圧縮機１２から燃焼器１３に供給される圧縮空気の流量が設定される。
【００２４】
このようにして、燃焼器１３に供給される燃料流量及び空気流量が設定されるとき、燃焼器１３では、供給された空気と燃料ガスとを用いて燃焼動作を行い、高温高圧の燃焼ガスを発生する。この燃焼器１３より発生した燃焼ガスは、燃焼ガス通路２７を介してタービン１４に供給される。そして、タービン１４が燃焼ガス通路２７を通じて供給される燃焼ガスによって回転駆動を行う。このタービン１４の回転が回転軸を通じて圧縮機１２に伝わるため、圧縮機１２も回転駆動する。よって、圧縮機１２が回転駆動することにより外部空気を吸引して圧縮した圧縮空気を上述のように生成して圧縮空気通路２２に供給する。又、タービン１４の回転エネルギーが発電機１５に与えられることで、発電機１５がこの回転エネルギーに基づいて発電動作を行う。
【００２５】
上述のようにして動作するとき、流量制御弁３４の開度を開く（あるいは閉じる）ことによって、燃焼器１３のメインノズルに供給される燃料ガスが増加（あるいは減少）し、又、流量制御弁３５の開度を開く（あるいは閉じる）ことによって、燃焼器１３のパイロットノズルに供給される燃料ガスが増加（あるいは減少）する。又、ＩＧＶ１７の開度を開く（あるいは閉じる）ことによって、圧縮機１２に吸引される空気流量が増加（あるいは減少）する。更に、燃焼器バイパス弁２９の開度を開く（あるいは閉じる）ことによって、バイパス通路２８を流れる空気流量が増加（あるいは減少）させて、燃焼器１３に供給する空気流量を減少（あるいは増加）させる。
【００２６】
このようなガスタービン１１を備えたガスタービンプラントの各実施形態について、以下に説明する。尚、以下の各実施形態では、このガスタービン１１の運転状態を監視するためのガスタービン監視装置の構成が異なるため、このガスタービン監視装置を中心に説明する。
【００２７】
＜第１の実施形態＞
本発明の第１の実施形態について、図面を参照して説明する。図２は、本実施形態におけるガスタービンプラントにおけるガスタービン監視装置の構成を示すブロック図である。
【００２８】
図２のガスタービン監視装置１００は、圧力センサ２５が検出した燃焼器１３（図１参照）内の圧力及び加速度センサ２６が検出した燃焼器１３の位置変化による加速度などのプラントデータ２００が入力される入力部１０１と、入力部１０１を通じて入力された燃焼器１３の圧力変動や加速度を周波数解析する周波数解析部１０２と、周波数解析部１０２での解析結果に基づいてガスタービン１１の運転状態における正常規範を設定する正常規範設定部１０３と、入力部１０１に入力されたプラントデータや周波数解析部１０２での解析結果や正常規範設定部１０３で設定された正常規範を表示出力する出力部１０４と、を備える。
【００２９】
このように構成されるガスタービン監視装置１００の動作について、以下に説明する。上述のようにしてガスタービン１１が動作するとき、複数の燃焼器１３それぞれに設置された圧力センサ２５及び加速度センサ２６からの測定データが、所定時間毎に、プラントデータ２００の一部として入力部１０１に入力される。この入力部１０１に入力されたプラントデータ２００の内の圧力センサ２５及び加速度センサ２６からの測定データが周波数解析部１０２に与えられると、各燃焼器１３毎に、圧力センサ２５及び加速度センサ２６からの測定データに基づいて燃焼器１３に現れる燃焼振動の周波数解析が行われる。
【００３０】
この周波数解析部１０２では、得られた測定データに対して高速フーリエ変換（ＦＦＴ）されることで、測定データの振動レベルと周波数との関係に変換される。この周波数解析後の関係として、図３に、圧力センサ２５において測定される燃焼器１３の内圧変動に対する例を示す。即ち、図３において、周波数に対する燃焼器１３の内圧変動の振動レベルと周波数との関係を示す。尚、以下において、この圧力センサ２５で測定される燃焼器１３の内圧を例に挙げて、各動作について説明する。
【００３１】
このようにして、周波数解析部１０２において測定データに対する周波数解析結果が得られると、所定時間毎に得られた図３のような周波数解析結果が正常規範設定部１０３に与えられる。この正常規範設定部１０３では、図４のように、過去の所定期間において与えられた複数の周波数解析結果が確認される。そして、この複数の周波数解析結果に基づいて、周波数に対する燃焼器１３の内圧変動の振動レベルに対して、ガスタービン１１の各部において異常発生のない正常運転が行われていることを示す図５のような正常規範が設定される。即ち、図５のように、燃焼器１３の内圧変動の振動レベルと周波数との関係を示す波形ｘ１が正常規範の上限となるとともに、燃焼器１３の内圧変動の振動レベルと周波数との関係を示す波形ｘ２が正常規範の下限となる。
【００３２】
このとき、正常規範設定部１０３において、ｍ基の燃焼器１３それぞれに対する周波数解析結果が時系列で与えられる。即ち、時間ｔ１毎に圧力センサ２５が計測を行うとともに、過去の所定期間Ｔにわたる周波数結果が使用されるとき、Ｔ／ｔ１×ｍ個の周波数解析結果が正常規範設定部１０３に与えられる。尚、この過去の所定期間Ｔにわたる周波数結果については、現在の一定期間前から所定期間だけさかのぼった期間において得られた周波数結果としても構わない。そして、これらの周波数解析結果に対して、時系列となる同一燃焼器１３毎の周波数解析結果に対して一時遅れや移動平均などのフィルタリング処理を施すとともに、最大値、中間値、分散値などを確認する統計処理を施すことによって、全ての燃焼器１３に対して正常規範となる範囲を個別に設定する。
【００３３】
このようにして、燃焼器１３の燃焼振動の周波数解析結果に対する正常規範が正常規範設定部１０３で得られると、周波数解析部１０２で得られたｍ基の燃焼器１３それぞれにおける現在の運転状態に対する周波数解析結果とともに、出力部１０４に送出される。よって、出力部１０４では、正常規範設定部１０３で設定されたｍ基の燃焼器１３それぞれの燃焼振動の周波数解析結果に対する正常規範と、周波数解析部１０２で得られたｍ基の燃焼器１３それぞれの現在の周波数解析結果とを、図６のように同時に出力する。この出力部１０４は、ディスプレイなどのように画像表示を行うものとしても構わないし、プリンタなどのように印字するものとしても構わない。又、この出力部１０４には、入力部１０１を介して入力されるプラントデータ２００に基づいて、ガスタービン１１各部の圧力、流量、温度などの計測結果も出力される。
【００３４】
このように構成されることで、出力部１０４からの出力により、現在の燃焼器１３の燃焼状態と正常規範との関係を確認することができるため、各燃焼器１３の燃焼状態の周波数解析結果が正常規範内に収まっているか否かを監視することで、異常燃焼が発生している燃焼器１３の存否を監視することができる。又、正常規範外となる振動レベルとなる周波数を確認することにより、この燃焼異常により影響が与えられるガスタービン１１の部位との因果関係を予め認識しておくことで、この燃焼異常により影響が与えられるガスタービン１１の部位を特定することができる。
【００３５】
＜第２の実施形態＞
本発明の第２の実施形態について、図面を参照して説明する。図７は、本実施形態におけるガスタービンプラントにおけるガスタービン監視装置の構成を示すブロック図である。尚、図７のガスタービン監視装置の構成において、図２のガスタービン監視装置の構成と同一の目的で使用する部分については、同一の符号を付してその詳細な説明は省略する。
【００３６】
図７のガスタービン監視装置１００ａは、図２のガスタービン監視装置１００と同一の構成に、周波数解析部１０２での現在の運転状態における周波数解析結果と正常規範設定部１０３からの周波数解析結果に対する正常規範との比較が行われる健全性評価部１０５が付加された構成となる。この構成に追加された健全性評価部１０５は、現在の運転状態における各燃焼器１３の周波数解析結果と正常規範との比較を行うことによって、燃焼器１３の燃焼振動状態を確認し、その運転状態が正常又は異常であるかの判定を行う。その他の構成については、第１の実施形態と同様であるので、以下では、健全性評価部１０５を中心に説明する。
【００３７】
このガスタービン監視装置１００ａは、第１の実施形態と同様、周波数解析部１０２において、入力部１０１に入力されたプラントデータ２００に基づいて、ｍ基の燃焼器１３それぞれの燃焼振動に対する周波数解析が行われ、その周波数解析結果が正常規範設定部１０３及び健全性評価部１０５に与えられる。そして、正常規範設定部１０３において、所定期間に得られた複数の周波数解析結果に基づいて、燃焼器１３の内圧変動の周波数解析結果に対する正常規範が設定され、この正常規範が健全性評価部１０５に与えられる。又、この健全性評価部１０５において、周波数解析部１０２で得られた燃焼器１３の内圧変動の周波数解析結果と、正常規範設定部１０３で設定された燃焼器１３の内圧変動の周波数解析結果に対する正常規範との関係が確認されることで、ガスタービン１１の運転状態が判定される。
【００３８】
この健全性評価部１０５では、現在の燃焼器１３の内圧変動の周波数解析結果が正常規範内に存在するか否かを確認する。即ち、ｍ基の燃焼器１３それぞれにおける現在の内圧変動の周波数解析結果と正常規範との偏差が各周波数毎に求められるとともに、求められた偏差に基づいて、ｍ基の燃焼器１３それぞれに対して、燃焼振動による異常が発生しているか否かを確認する。ここで偏差とは、正常規範の上下限からの逸脱量を指すものとする。このとき、周波数毎に求められる正常規範との偏差の平均値又は最大値を確認し、得られた偏差の平均値又は最大値が大きい燃焼器１３が確認されると、この燃焼器１３の燃焼が不安定であり異常が発生しているものと判定する。
【００３９】
例えば、燃焼器１３における現在の内圧変動の周波数解析結果と正常規範との関係が、図８に示す関係となり、周波数ｆ１以上ｆ２以下となる周波数帯において、現在の内圧変動による振動レベルが正常規範の上限値よりも大きくなる場合、まず、周波数ｆ１以上ｆ２以下となる周波数帯以外の周波数帯において、現在の内圧変動による振動レベルが正常規範内に収まっているため、その偏差が０となる。又、周波数ｆ１以上ｆ２以下となる周波数帯においては、周波数Δｆ毎に、現在の内圧変動による振動レベルＬｘと正常規範の上限値Ｌｍａｘとの偏差ΔＬｘ＝｜Ｌｘ−Ｌｍａｘ｜が求められるとともに、この偏差ΔＬｘの平均値ΔＬａｖ又は最大値ΔＬｍａｘが求められる。尚、現在の内圧変動による振動レベルＬｘが正常規範の下限値Ｌｍｉｎより小さくなる場合は、偏差ΔＬｘが、｜Ｌｘ−Ｌｍｉｎ｜となる。即ち、現在の内圧変動による振動レベルＬｘと正常規範の上限値Ｌｍａｘ又は下限値Ｌｍｉｎとの差の絶対値を各周波数毎に求め、現在の内圧変動による振動レベルと正常規範との偏差ΔＬｘとする。そして、この偏差ΔＬｘの平均値ΔＬａｖ又は最大値ΔＬｍａｘの値が閾値以上となったとき、燃焼器１３の燃焼に異常が発生しているものと判定する。
【００４０】
このようにして、健全性評価部１０５に得られた燃焼器１３の燃焼異常に対する判定結果が出力部１０４に与えられると、出力部１０４において判定結果が出力される。このとき、燃焼器１３に燃焼異常が発生していることが確認されると、出力部１０４より、燃焼異常が発生している燃焼器１３を示す出力が行われて、ディスプレイに表示又はプリンタからプリントされる。又、燃焼異常の発生があるとき、この出力部１０４からの出力に基づいて、音声による警報を発生するようにしても構わない。更に、健全性評価部１０５において、現在の内圧変動の周波数解析結果に対して、正常規範との偏差が所定値より大きい周波数を確認することができるので、この正常規範との偏差が所定値より大きい周波数に基づいて、この燃焼異常により影響が与えられるガスタービン１１の部位を特定することができる。
【００４１】
＜第３の実施形態＞
本発明の第３の実施形態について、図面を参照して説明する。図９は、本実施形態におけるガスタービンプラントにおけるガスタービン監視装置の構成を示すブロック図である。尚、図９のガスタービン監視装置の構成において、図７のガスタービン監視装置の構成と同一の目的で使用する部分については、同一の符号を付してその詳細な説明は省略する。
【００４２】
図９のガスタービン監視装置１００ｂは、図７のガスタービン監視装置１００ａと同一の構成に、周波数解析部１０２での現在の運転状態における周波数解析結果よりノイズ成分を除去するノイズ除去部１０６が付加された構成となる。この構成に追加されたノイズ除去部１０６は、各燃焼器１３の現在の運転状態における周波数解析結果が与えられると、この周波数解析結果からノイズ成分を除去した後、このノイズ成分を除去した周波数解析結果を正常規範設定部１０３及び健全性評価部１０５に送出する。その他の構成については、第２の実施形態と同様であるので、以下では、ノイズ除去部１０６を中心に説明する。
【００４３】
このガスタービン監視装置１００ｂは、第２の実施形態と同様、入力部１０１に入力されたプラントデータ２００に基づいて、周波数解析部１０２では、ｍ基の燃焼器１３それぞれの燃焼振動に対する周波数解析が行われ、その周波数解析結果がノイズ除去部１０６に与えられる。そして、このノイズ除去部１０６において、プラントデータ２００に重畳されるノイズ成分が、周波数解析部１０２における周波数解析結果より除去される。
【００４４】
このノイズ成分として、タービン１４に設置されたタービン翼の枚数Ｚと回転数Ｎとによって定まる固有振動数であるＮＺ成分や、電源周波数などによって、所定の周波数の定常ノイズが形成され、この定常ノイズがプラントデータ２００に重畳される。そのため、周波数解析部１０２で得られた周波数解析結果には、特定の周波数成分が現れるため、特定の周波数成分の振動レベルが大きくなる。よって、例えば、タービン翼の枚数Ｚと回転数Ｎとによって定まる周波数Ｎ×Ｚ［Ｈｚ］のＮＺ成分が発生しているとき、この周波数Ｎ×Ｚ［Ｈｚ］による定常ノイズが重畳されることとなるため、図１０のように、周波数解析部１０２で得られた周波数解析結果において、周波数Ｎ×Ｚ［Ｈｚ］の振動レベルが大きくなる。
【００４５】
このような定常ノイズとなる周波数は、例えば、ＮＺ成分によるものについて、タービン翼の枚数Ｚと回転数Ｎとによって求められるものとしても構わないし、又、電源周波数について、予め与えられるものとしても構わない。又、所定期間に測定された複数の燃焼器１３に対する測定データに基づく周波数解析結果を照合し、常に所定の振動レベルとなる周波数を確認し、この周波数を定常ノイズの発生している周波数と設定するものとしても構わない。このようにして、定常ノイズの発生している周波数がノイズ除去部１０６で認識されているとき、この定常ノイズの発生している周波数における所定の振動レベルが周波数解析結果から除去されることで、定常ノイズが除去される。
【００４６】
この定常ノイズが除去された周波数解析結果が、ノイズ除去部１０６より正常規範設定部１０３及び健全性評価部１０５に与えられる。そして、正常規範設定部１０３において、純粋な燃焼器１３の内圧の変動値による周波数結果に基づいて、この燃焼器１３の内圧に対する正常規範が求められるとともに、健全性評価部１０５において、現在のガスタービン１１の運転状態について、各燃焼器１３毎にその燃焼に異常が発生しているか否かを、定常ノイズの影響なく正確に判定することができる。
【００４７】
＜第４の実施形態＞
本発明の第４の実施形態について、図面を参照して説明する。図１１は、本実施形態におけるガスタービンプラントにおけるガスタービン監視装置の構成を示すブロック図である。尚、図１１のガスタービン監視装置の構成において、図９のガスタービン監視装置の構成と同一の目的で使用する部分については、同一の符号を付してその詳細な説明は省略する。
【００４８】
図１１のガスタービン監視装置１００ｃは、図９のガスタービン監視装置１００ｂと異なり正常規範設定部１０３ａ及び健全性評価部１０５ａに入力部１０１を介してプラントデータ２００が与えられる。この入力部１０１から正常規範設定部１０３ａ及び健全性評価部１０５ａに与えられるプラントデータ２００は、周波数解析部１０２に与えるプラントデータ２００と異なり、圧力センサ２５及び加速度センサ２６以外のセンサからの測定データである。即ち、周波数解析部１０２で周波数解析される測定データと異なる測定データが正常規範設定部１０３ａ及び健全性評価部１０５ａに与えられ、ガスタービン１１の運転状態の異常を判定するためのパラメータとして使用される。
【００４９】
このガスタービン監視装置１００ｃは、第３の実施形態と同様、入力部１０１に入力されたプラントデータ２００の内、圧力センサ２５及び加速度センサ２６による測定データが周波数解析部１０２に与えられる。そして、周波数解析部１０２において、ｍ基の燃焼器１３それぞれの燃焼振動に対する周波数解析が行われ、その周波数解析結果に含まれる定常ノイズ成分がノイズ除去部１０６において除去されると、このノイズ成分が除去された周波数解析結果が正常規範設定部１０３ａ及び健全性評価部１０５ａに与えられる。
【００５０】
このとき、正常規範設定部１０３ａでは、与えられた燃焼器１３の燃焼振動の周波数解析結果を、図１２のように、ｎ個の周波数帯Ｆ１〜Ｆｎに分割するとともに、周波数帯Ｆ１〜Ｆｎそれぞれにおける振動レベルの平均値又は最大値を取得する。このとき、入力部１０１を介して入力されるプラントデータ２００が確認され、各周波数帯における振動レベルの平均値又は最大値とともに格納される。そして、所定期間Ｔにおける複数の周波数解析結果による周波数帯Ｆ１〜Ｆｎそれぞれにおける振動レベルの平均値又は最大値が確認された後、各周波数帯毎に、その振動レベルの平均値又は最大値と入力部１０１より与えられる圧力センサ２５及び加速度センサ２６以外のセンサからの測定データとの関係が求められる。尚、この圧力センサ２５及び加速度センサ２６以外のセンサからの測定データについては、ガスタービン１１の運転状態に影響を与える因子であるため、以下では、「影響授与因子」と呼ぶ。
【００５１】
このようにして周波数解析結果における各周波数帯毎に得られた振動レベルの平均値又は最大値と入力部１０１より与えられる影響授与因子との関係に対して、フィルタリング処理や統計処理を施すことによって、影響授与因子に対する振動レベルの正常規範が、ｍ基の燃焼器１３の燃焼振動の周波数解析結果における周波数帯毎に設定される。即ち、影響授与因子に対する振動レベルの正常規範が、燃焼器１３毎に周波数帯Ｆ１〜Ｆｎそれぞれに対して求められるため、ｍ×ｎ個の正常規範が生成されることとなる。
【００５２】
このとき、例えば、影響授与因子として発電機負荷（ＭＷ）が与えられて、図１２の周波数帯域Ｆｋ（１≦ｋ≦ｎ）における燃焼器１３の内圧変動の振動レベルの平均値と発電機負荷との関係が確認され、その正常規範が図１３のように表されるものとする。即ち、図１３のような縦軸を内圧変動の振動レベルととするとともに横軸を発電機負荷とする２次元平面において、直線ｌｕが正常規範の上限を表すとともに直線ｌｄが正常規範の下限を表し、直線ｌｄよりも上側で且つ直線ｌｕよりも下側の範囲が正常規範となる。そして、この図１３のように表される周波数帯域Ｆｋにおける燃焼器１３の内圧変動の振動レベルの平均値と発電機負荷との関係に対する正常規範が、燃焼器毎に、周波数帯域Ｆ１〜Ｆｎそれぞれについて求められ、ｍ×ｎ個の正常規範が生成される。
【００５３】
このようにして、ｎ個の周波数帯域Ｆ１〜Ｆｎそれぞれにおける各燃焼器１３の内圧変動の振動レベルの平均値又は最大値と影響授与因子との関係に対する正常規範が求められると、このｍ×ｎ個の正常規範が健全性評価部１０５ａに与えられる。この健全性評価部１０５ａは、ノイズ除去部１０６より与えられた各燃焼器１３の燃焼振動の周波数解析結果を、正常規範設定部１０３ａと同様に、ｎ個の周波数帯Ｆ１〜Ｆｎに分割して、周波数帯Ｆ１〜Ｆｎそれぞれにおける振動レベルの平均値又は最大値を取得する。そして、プラントデータ２００より影響授与因子の値を確認すると、各燃焼器毎に、各周波数帯毎に、取得した振動レベルの平均値又は最大値と、確認した影響授与因子の値に対する正常規範とを比較することによって、ガスタービン１１の運転状態が正常であるか否かの判定を行う。
【００５４】
即ち、例えば、図１３のような影響授与因子を発電機負荷としたときの周波数帯Ｆｋでの正常規範が生成されているとき、周波数帯Ｆｋにおいて得られた現在の燃焼器１３の内圧変動の振動レベルＬｘと、プラントデータ２００によって確認される発電機負荷Ｍｘとによって表される座標位置Ｐ（Ｍｘ，Ｌｘ）を、図１３の２次元平面にプロットする。そして、プロットした座標位置Ｐが図１４（ａ）のように正常規範内にある場合は、周波数帯Ｆｋにおける振動が正常範囲内であるものと判定し、又、プロットした座標位置Ｐが図１４（ｂ）のように正常規範外にある場合は、周波数帯Ｆｋにおける振動が異常であるものと判定する。
【００５５】
このように、各燃焼器１３の燃焼振動の周波数解析結果における周波数帯Ｆ１〜Ｆｎそれぞれに対して、影響授与因子に基づく正常規範に基づく運転状態の異常判定を行うことにより、燃焼異常の発生している燃焼器とその周波数帯が確認される。そして、確認された燃焼異常の発生している燃焼器とその周波数帯を示す判定結果が出力部１０４より出力されると、ディスプレイなどにより、燃焼異常の発生している燃焼器とその周波数帯の表示を行う。尚、このとき、燃焼異常の発生する各周波数帯により影響が与えられるガスタービン１１の部位との因果関係を予め認識しておくことで、燃焼異常が確認された周波数帯により影響が与えられるガスタービン１１の部位を特定することができる。
【００５６】
又、燃焼器１３の燃焼異常を確認するための影響授与因子は、複数としても構わない。このとき、この複数の影響授与因子それぞれに対して、ノイズ除去部１０６からの周波数解析結果を分割する各周波数毎の正常規範が生成され、この正常規範に基づいて、各周波数帯での影響授与因子による燃焼異常への影響を確認することができる。即ち、ｐ個の影響授与因子によって燃焼異常を確認する場合、ｍ×ｎ×ｐ個の正常規範が生成されるとともに、ｐ個の影響因子によるｐ個の正常規範に基づいて各燃焼器とも周波数帯Ｆ１〜Ｆｎそれぞれにおける燃焼異常が確認される。そして、燃焼異常が確認されるとき、いずれの燃焼器、いずれの周波数帯において発生されたかを確認することができる。尚、複数の影響授与因子よって燃焼異常を確認する場合、少なくとも２個以上の影響授与因子によって燃焼異常を確認することによって、燃焼異常検知に関する誤検知を低減することも可能である。又、燃焼異常と確認された影響授与因子の個数に応じて、出力部１０４よりの出力方法を変えても構わない。
【００５７】
＜第５の実施形態＞
本発明の第５の実施形態について、図面を参照して説明する。尚、本実施形態は、上述の第１〜第４の実施形態と異なり、複数のガスタービンプラントにおけるガスタービンの運転状態を監視するガスタービン監視システムが構成されている。又、図１５は、本実施形態におけるガスタービン監視システムの構成を示すブロック図である。尚、図１５のガスタービン監視システムの構成において、図１１のガスタービン監視装置の構成と同一の目的で使用する部分については、同一の符号を付してその詳細な説明は省略する。
【００５８】
図１５のガスタービン監視システムは、プラントＰ１〜ＰＮそれぞれに、ガスタービン１１のプラントデータ２００が入力される入力部１０１と、入力部１０１に入力されたプラントデータ２００を送信する通信部１５１と、を備えたプラントデータ送信装置１５０が設置される。又、プラントＰ１〜ＰＮそれぞれのプラントデータ送信装置１５０より送信されるプラントデータ２００を受信して、プラントＰ１〜ＰＮそれぞれのガスタービン１１の運転状態を監視するガスタービン監視装置１７０を備える。そして、このガスタービン監視装置１７０が、プラントデータ送信装置１５０から送信されるプラントデータ２００を受信する通信部１７１と、この通信部１７１で受信したプラントデータ２００に基づいて動作する周波数解析部１０２、正常規範設定部１０３ａ、出力部１０４、健全性評価部１０５ａ、及びノイズ除去部１０６と、を備える。
【００５９】
このように構成されるとき、プラントＰ１〜ＰＮそれぞれに設置されたプラントデータ送信装置１５０は、時刻ｔ１，ｔ２，…毎に、ガスタービン１１の運転状態を示すプラントデータ２００が入力部１０１に入力されると、この入力されたプラントデータ２００を通信部１５１よりネットワーク回線１８０を通じてガスタービン監視装置１７０に送信する。又、ガスタービン監視装置１７０は、プラントＰ１〜ＰＮそれぞれのプラントデータ送信装置１５０から送信されるプラントデータ２００を通信部１７１で受信すると、受信したプラントデータ２００の内、圧力センサ２５及び加速度センサ２６による測定データが周波数解析部１０２に与えられる。又、受信したプラントデータ２００の内、圧力センサ２５及び加速度センサ２６以外のセンサからの測定データについては、正常規範設定部１０３ａ及び健全性評価部１０５ａに送出される。
【００６０】
このように、受信されたプラントＰ１〜ＰＮそれぞれにおけるプラントデータが周波数解析部１０２、正常規範設定部１０３ａ、及び健全性評価部１０５ａに与えられると、第４の実施形態におけるガスタービン監視装置１００ｃと同様の動作が行われることで、プラントＰ１〜ＰＮそれぞれのガスタービンの運転状態が確認される。このとき、周波数解析部１０２において、プラントＰ１〜ＰＮそれぞれのガスタービン１１における燃焼器１３の燃焼振動に対する周波数解析が行われる。
【００６１】
この周波数解析部１０２で得られた周波数解析結果に含まれる定常ノイズ成分がノイズ除去部１０６で除去されると、この定常ノイズ成分が除去された周波数解析結果が正常規範設定部１０３ａ及び健全性評価部１０５ａに送出される。そして、正常規範設定部１０３ａにおいて、プラントＰ１〜ＰＮそれぞれに対する正常規範が生成されると、この正常規範に基づいて健全性評価部１０５ａがプラントＰ１〜ＰＮそれぞれにおけるガスタービン１１の運転状態を確認する。よって、出力部１０４によって、プラントＰ１〜ＰＮそれぞれのガスタービン１１の現在の運転状態が正常であるか否かを示す情報が出力されると、この出力された情報に基づく表示がディスプレイなどに成されて、プラントＰ１〜ＰＮそれぞれのガスタービン１１の運転状態が監視される。
【００６２】
尚、本実施形態において、通信手段を備えたガスタービン監視装置１７０の構成を、第４の実施形態のガスタービン監視装置１００ｃに基づくものとしたが、これに限られるものではなく、第１〜第３の実施形態におけるガスタービン監視装置１００，１００ａ，１００ｂに基づく構成としても構わない。又、周波数解析部１０２、ノイズ除去部１０６をガスタービン監視装置１７０内に構成したが、プラントＰ１〜ＰＮそれぞれに設置されたプラントデータ送信装置１５０内に設けても構わない。
【図面の簡単な説明】
【００６３】
【図１】は、ガスタービンの構成を示すブロック図である。
【図２】は、第１の実施形態におけるガスタービン監視装置の構成を示すブロック図である。
【図３】は、周波数解析部での周波数解析結果の例を示す図である。
【図４】は、周波数解析部での複数回の周波数解析結果を重ね合わせた例を示す図である。
【図５】は、正常規範設定部で設定される正常規範の例を示す図である。
【図６】は、出力部より出力される周波数解析結果と正常規範との関係を示す図である。
【図７】は、第２の実施形態におけるガスタービン監視装置の構成を示すブロック図である。
【図８】は、健全性評価部で比較される周波数解析結果と正常規範との関係を示す図である。
【図９】は、第３の実施形態におけるガスタービン監視装置の構成を示すブロック図である。
【図１０】は、ノイズ成分が重畳した周波数解析結果の例を示す図である。
【図１１】は、第４の実施形態におけるガスタービン監視装置の構成を示すブロック図である。
【図１２】は、周波数解析部での周波数解析結果の分割例を示す図である。
【図１３】は、周波数帯域Ｆｋにおける正常規範の例を示す図である。
【図１４】は、ガスタービンの運転状態と図１３の正常規範との関係を示す図である。
【図１５】は、第５の実施形態におけるガスタービン監視装置の構成を示すブロック図である。
【符号の説明】
【００６４】
１１    ガスタービン
１２    圧縮機
１３    燃焼器
１４    タービン
１５    発電機
１６    吸気通路
１７    入口案内翼（ＩＧＶ）
１８，３０    開度センサ
１９，２３，３６，４２    温度センサ
２０，２４，２５，３７，３８    圧力センサ
２１，３９，４０    流量センサ
２２    圧縮空気供給通路
２６    加速度センサ
２７    燃焼ガス通路
２８    バイパス通路
２９    燃焼器バイパス弁
３１    燃料通路
３２    メイン燃料通路
３３    パイロット燃料通路
３４，３５    流量制御弁
４１    排気ガス通路
４３    ＮＯｘセンサ
４４    ＣＯセンサ
【図１】
2006105053.tif 000003
【図２】
2006105053.tif 000004
【図３】
2006105053.tif 000005
【図４】
2006105053.tif 000006
【図５】
2006105053.tif 000007
【図６】
2006105053.tif 000008
【図７】
2006105053.tif 000009
【図８】
2006105053.tif 000010
【図９】
2006105053.tif 000011
【図１０】
2006105053.tif 000012
【図１１】
2006105053.tif 000013
【図１２】
2006105053.tif 000014
【図１３】
2006105053.tif 000015
【図１４】
2006105053.tif 000016
【図１５】
2006105053.tif 000017